(57)【要約】【課題】グリップベルトの取付強度を高めることができるとともに、撮像装置の小型化を図ることができる仕組みを提供する。【解決手段】撮像装置は、録画ボタン３、及び録画ボタン３の近傍に配置されるグリップベルトの取付部７が設けられる背面カバー８と、録画ボタン３を保持する保持部材９とを備える。背面カバー８は、録画ボタン３が設けられる背面壁８ｇと、背面壁８ｇに接続され、取付部７が設けられる外側壁８ｆと、背面壁８ｇに接続され、外側壁８ｆに対向して配置される内側壁８ｅとを有する。そして、外側壁８ｆと内側壁８ｅとの間に録画ボタン３を背面壁８ｇに向かう方向に挿入することで、録画ボタン３が背面壁８ｇに取り付けられ、録画ボタン３が背面壁８ｇに取り付けられた際に、外側壁８ｆ及び内側壁８ｅにそれぞれ形成された嵌合部８ｃ，８ｄに保持部材９に形成された被嵌合部９ｂ，９ｃが嵌合される。【選択図】図３
2012134751.tif 000002
【特許請求の範囲】
【請求項１】
操作部、及び前記操作部の近傍に配置されるベルト部材取付部が設けられる外装カバーと、前記操作部を保持する保持部材と、を備え、
前記外装カバーには、前記操作部が設けられる第１の壁部と、前記第１の壁部に接続され、前記ベルト部材取付部が設けられる第２の壁部と、前記第１の壁部に接続され、前記第２の壁部に対向して配置される第３の壁部と、が形成され、
前記操作部を前記第２の壁部と前記第３の壁部との間から前記第１の壁部に向けて挿入することで、前記操作部は前記第１の壁部に取り付けられ、
前記操作部が前記第１の壁部に取り付けられた後に、前記第２の壁部及び前記第３の壁部にそれぞれ形成された嵌合部に前記保持部材に形成された被嵌合部を嵌合することを特徴とする撮像装置。
【請求項２】
前記ベルト部材取付部は、前記外装カバーと一体に成形されることを特徴とする請求項１に記載の撮像装置。
【請求項３】
前記ベルト部材は、グリップベルトであることを特徴とする請求項１又は２に記載の撮像装置。
【請求項４】
前記操作部は、録画ボタンであることを特徴とする請求項１乃至３のいずれか一項に記載の撮像装置。
【発明の詳細な説明】
【技術分野】
【０００１】
本発明は、例えばデジタルビデオカメラ等の撮像装置におけるグリップベルトやストラップベルト等のベルト部材の取付構造に関する。
【背景技術】
【０００２】
従来、グリップベルトが取り付けられるデジタルビデオカメラとして、例えば図７に示すものがある（特許文献１）。図７（ａ）は従来のデジタルビデオカメラを側面からが見た図、図７（ｂ）は図７（ａ）に示すデジタルビデオカメラを背面側から見た図、図７（ｃ）は図７（ａ）に示すデジタルビデオカメラを上面側から見た図である。
【０００３】
このデジタルビデオカメラは、カメラ本体１００の正面側に、撮影レンズ１０１が設けられ、カメラ本体１００の背面側に、バッテリ１０３、及び録画ボタン１０２が設けられている。また、カメラ本体１００の上面側には、ズーム操作キー１０５が設けられ、撮影者側から見てカメラ本体１００の右側の側面部には、グリップベルト１０４が設けられている。
【０００４】
グリップベルト１０４は、一端が撮影レンズ１０１近傍に設けられた取付部１０６に取り付けられ、他端が録画ボタン１０２の近傍に形成された穴１０７を通ってカメラ本体１００の内部の取付板１０９に取り付けられている。取付板１０９は、カメラ本体１００の外装カバーの内側に設けられた取付台座１０８にねじ１１０によって固定されている。
【先行技術文献】
【特許文献】
【０００５】
【特許文献１】特開平５−１３０４７２号公報
【発明の概要】
【発明が解決しようとする課題】
【０００６】
ところで、グリップベルト１０４に右手を通してカメラ本体１００を安定して把持する際には、グリップベルト１０４を締め付けて使用するため、グリップベルト１０４の取付部分には、大きな力が作用する。
【０００７】
このため、上記特許文献１では、グリップベルト１０４の取付強度を確保するために、グリップベルト１０４が取り付けられる取付板１０９をねじ１１０により外装カバーの内側に設けられた取付台座１０８に固定している。しかし、この構造では、グリップベルト１０４の取付部分に比較的大きなスペースが必要となるため、デジタルビデオカメラの小型化を妨げる原因になる。
【０００８】
そこで、本発明は、ベルト部材の取付強度を高めることができるとともに、撮像装置の小型化を図ることができる仕組みを提供することを目的とする。
【課題を解決するための手段】
【０００９】
上記目的を達成するために、本発明の撮像装置は、操作部、及び前記操作部の近傍に配置されるベルト部材取付部が設けられる外装カバーと、前記操作部を保持する保持部材と、を備え、前記外装カバーには、前記操作部が設けられる第１の壁部と、前記第１の壁部に接続され、前記ベルト部材取付部が設けられる第２の壁部と、前記第１の壁部に接続され、前記第２の壁部に対向して配置される第３の壁部と、が形成され、前記操作部を前記第２の壁部と前記第３の壁部との間から前記第１の壁部に向けて挿入することで、前記操作部は前記第１の壁部に取り付けられ、前記操作部が前記第１の壁部に取り付けられた後に、前記第２の壁部及び前記第３の壁部にそれぞれ形成された嵌合部に前記保持部材に形成された被嵌合部を嵌合することを特徴とする。
【発明の効果】
【００１０】
本発明によれば、ベルト部材の取付強度を高めることができるとともに、撮像装置の小型化を図ることができる。
【図面の簡単な説明】
【００１１】
【図１】本発明の撮像装置の実施形態の一例であるデジタルビデオカメラの外観斜視図である。
【図２】カメラ本体の内部から背面方向を見た内部図である。
【図３】図２のＡ−Ａ線断面図である。
【図４】背面カバーと上面カバーとを分解した斜視図である。
【図５】図４の矢印Ｃ方向から見た斜視図である。
【図６】図２のＢ−Ｂ線断面図である。
【図７】（ａ）は従来のデジタルビデオカメラを側面からが見た図、（ｂ）は（ａ）に示すデジタルビデオカメラを背面側から見た図、（ｃ）は（ａ）に示すデジタルビデオカメラを上面側から見た図である。
【発明を実施するための形態】
【００１２】
以下、本発明の実施形態の一例を図面を参照して説明する。
【００１３】
図１は、本発明の撮像装置の実施形態の一例であるデジタルビデオカメラの外観斜視図である。
【００１４】
図１に示すように、本実施形態のデジタルカメラは、カメラ本体１の正面側に撮影レンズ２が設けられ、カメラ本体１の上面部の外装を形成する上面カバー１１には、ズーム操作キー６が設けられている。また、カメラ本体１の背面部の外装を形成する背面カバー８には、バッテリ４及び録画ボタン３が設けられ、撮影者側（背面側）から見てカメラ本体１の右側の側面部には、グリップベルト５が設けられている。
【００１５】
グリップベルト５は、一端が撮影レンズ２側に設けられた不図示の通し穴に取り付けられ、他端が背面カバー８に設けられた取付部７に取り付けられている。取付部７は、背面カバー８と一体に成形されている。ここで、録画ボタン３は、本発明の操作部の一例に相当し、取付部７は、本発明のベルト部材取付部の一例に相当し、背面カバー８は、本発明の外装カバーの一例に相当する。
【００１６】
そして、デジタルビデオカメラを使用する際は、カメラ本体１とグリップベルト５との間に右手を通してカメラ本体１把持し、撮影レンズ２を被写体へ向けて録画ボタン３を親指で押すことで録画を開始し、再度録画ボタン３を押すことで録画を停止する。従って、録画ボタン３は、右手の親指が届く範囲に配置される必要があるので、取付部７は、録画ボタン３の近傍に配置されている。
【００１７】
図２はカメラ本体１の内部から背面方向を見た内部図、図３は図２のＡ−Ａ線断面図である。
【００１８】
図２及び図３に示すように、背面カバー８は、取付部７が配置される外側壁８ｆ、外側壁８ｆとバッテリ４の収納空間との間を区画する内側壁８ｅ、及び録画ボタン３が配置され、外側壁８ｆと内側壁８ｅとの背面側の端部を接続する背面壁８ｇとを有する。
【００１９】
また、外側壁８ｆと内側壁８ｅとのカメラ本体１の正面側を向く端部間は開口されており、この開口から録画ボタン３及び録画ボタン３の保持部材９等を背面方向に挿入して取り付ける。ここで、背面壁８ｇは、本発明の第１の壁部の一例に相当し、外側壁８ｆは、本発明の第２の壁部の一例に相当し、内側壁８ｅは、本発明の第３の壁部の一例に相当する。
【００２０】
図４は、背面カバー８と上面カバー１１とを分解した斜視図である。図４において、板金１２は、録画ボタン３と一体に設けられる。録画ボタン３を不図示の弾性部材の付勢力に抗して押し操作すると、弾性部材に設けられた不図示の導通板が板金１２に配設されたＦＰＣ１３上のパターンをショートさせることで押し操作を検知する。このときの検知信号は、ＦＰＣ１３を介してカメラ本体１内の基板に実装された制御回路に出力される。
【００２１】
次に、図５を参照して、背面カバー８への録画ボタン３の組み付け方法について説明する。図５は、図４の矢印Ｃ方向から見た斜視図である。まず、上述した背面カバー８の外側壁８ｆと内側壁８ｅとのカメラ本体１の正面側を向く端部間の開口から、背面カバー８に光軸方向に貫通して設けられた穴部８ａに録画ボタン３を挿入する。次いで、板金１２と保持部材９とを重ね、ねじ１０を保持部材９の穴９ａと板金１２の穴１２ａに挿通して背面カバー８に形成されたねじ穴８ｂに締め付けることで、録画ボタン３、板金１２、及び保持部材９が背面カバー８に固定される。
【００２２】
ここで、図２、図３及び図５に示すように、背面カバー８の外側壁８ｆ及び内側壁８ｅには、それぞれリブ８ｃ及びリブ８ｄが互いに対向して設けられている。リブ８ｃは、外側壁８ｆから内側壁８ｅ側に向けて延びた後、上方に延びる断面略Ｌ字形状をなし、リブ８ｄは、内側壁８ｅから外側壁８ｆ側に延びた後、上方に延びる断面略Ｌ字形状をなしている。また、リブ８ｃ及びリブ８ｄは、背面壁８ｇ（図３）から外側壁８ｆの正面側端部近傍まで配置されている。
【００２３】
また、保持部材９には、上述したように、録画ボタン３、板金１２、及び保持部材９を背面カバー８に固定した際に、リブ８ｃ及びリブ８ｄにそれぞれ嵌合する断面略Ｌ字形状のリブ９ｂ及びリブ９ｃが形成されている。
【００２４】
これにより、保持部材９がリブ９ｂ，９ｃ及びリブ８ｃ，８ｄを介して背面カバー８の外側壁８ｆ及び内側壁８ｅに連結される。この結果、背面カバー８の外側壁８ｆ及び内側壁８ｅが保持部材９により補強されて、取付部７に取り付けられたグリップベルト５が引っ張られる力によって背面カバー８の外側壁８ｆが変形するのを防止することができる。ここで、リブ８ｃ及びリブ８ｄは、本発明の嵌合部の一例に相当し、リブ９ｂ，９ｃは、本発明の被嵌合部の一例に相当する。
【００２５】
また、保持部材９には、背面カバー８の外側壁８ｆ側に向けて突出するリブ９ｄ，９ｅが形成されている。リブ９ｄ，９ｅの先端は、録画ボタン３、板金１２、及び保持部材９を背面カバー８に固定した際に、外側壁８ｆの内面に接触又は近接して配置され、これにより、外側壁８ｆが押圧された際に、外側壁８ｆが凹むのを防止することができる。
【００２６】
図６は、図２のＢ−Ｂ線断面図である。図６に示すように、上面カバー１１には、保持部材９のカメラ本体１の正面側を向く部分に当接する突起部１１ａが設けられており、これにより、録画ボタン３の押し込み方向の強度を高めることができる。
【００２７】
以上説明したように、本実施形態では、録画ボタン３を保持する保持部材９によりグリップベルト５の取付部７が一体に配置される背面カバー８を補強しているので、グリップベルト５の取付強度を高めることができる。また、グリップベルト５の取付部７の十分な強度を確保する専用のスペースも不要になるため、デジタルビデオカメラの小型化を図ることができる。
【００２８】
なお、本発明の構成は、上記実施形態に例示したものに限定されるものではなく、材質、形状、寸法、形態、数、配置箇所等は、本発明の要旨を逸脱しない範囲において適宜変更可能である。
【００２９】
例えば、上記実施形態では、ベルト部材としてグリップベルト５を例示したが、グリップベルト５に代えてストラップベルト等に適用してもよい。
【符号の説明】
【００３０】
１  カメラ本体
３  録画ボタン
５  グリップベルト
７  取付部
８  背面カバー
８ｃ，８ｄ  リブ
９  保持部材
９ｂ，９ｃ  リブ
【図１】
2012134751.tif 000003
【図２】
2012134751.tif 000004
【図３】
2012134751.tif 000005
【図４】
2012134751.tif 000006
【図５】
2012134751.tif 000007
【図６】
2012134751.tif 000008
【図７】
2012134751.tif 000009